(57)【要約】ワードローブ装置が、レールを支持する本体と、フレームと、動作機構とを備え、作動手段は、フレームから遠い第１の位置から、フレームに近い第２の位置へ垂直方向にレールを移動させるように構成される。【選択図】図１
2020516789.tif 000002
【特許請求の範囲】
【請求項１】
格納位置では、屋根裏の空間に位置する断熱された箱に受け入れられ、展開位置では、前記屋根裏の下方の部屋に下降される、ワードローブ装置であって、衣服レールを支持するワードローブ本体を備え；フレームが、前記屋根裏の桁又は梁に固定され、前記屋根裏への開口を画定しており；少なくとも１つの駆動モータが、前記ワードローブを垂直方向に上昇及び下降させるように構成されており、前記衣服レールは、複数のハンガーを有し、前記ハンガーは、前記上昇位置と前記下降位置との間での動作中に、前記ハンガーが前記開口を通過できるように、前記レールに対してアクチュエータによって回転される、ワードローブ装置。
【請求項２】
前記ハンガーは、前記ハンガーが全て同時に回転するように、一緒に繋がれている、請求項１に記載のワードローブ装置。
【請求項３】
前記アクチュエータは、前記ハンガーを回転させるための第２のモータ及びベルト駆動部を含む、請求項２に記載の装置。
【請求項４】
前記本体は、少なくとも１つの棚を含む、請求項１〜３のうちいずれか一項に記載の装置。
【請求項５】
前記本体は、少なくとも１つの収納引出を含む、請求項１〜４のうちいずれか一項に記載の装置。
【請求項６】
ロック手段が、前記衣服レールを開放構成又は閉鎖構成にロックする、請求項１〜５のうちいずれか一項に記載の装置。
【請求項７】
少なくとも１つのモータが、再充電可能であることが好ましい１つ以上のバッテリによって給電される、請求項１〜６のうちいずれか一項に記載の装置。
【請求項８】
前記バッテリは、再充電可能であり、前記ワードローブ本体に装備され、前記ワードローブ本体と共に移動し、前記ワードローブが前記屋根裏の空間に戻されたときに、前記バッテリが再充電可能になるように、コネクタが、前記屋根裏の好適な接続部に接触するように配置されている、請求項７に記載の装置。
【請求項９】
張力センサが、ケーブルの張力低下を検知して、前記少なくとも１つの駆動モータを停止させる、請求項１〜８のうちいずれか一項に記載の装置。
【請求項１０】
弛みが検知された時か又はその直後に、前記ワードローブが床又は他の面から僅かな距離をおいて上方に吊り下げられるように、前記少なくとも１つの駆動モータを反転させて巻き取るように作動可能であるコントローラを含む、請求項９に記載の装置。
【請求項１１】
棒材が、１つ以上の桁又は垂木にわたって又はそれに沿って前記装置の荷重を分散させるために設けられている、請求項１〜１０のうちいずれか一項に記載の装置。
【請求項１２】
１つ以上の近接センサが、前記ワードローブ本体に設けられている、請求項１〜１１のうちいずれか一項に記載の装置。
【請求項１３】
前記近接センサ又は各近接センサは、超音波又は赤外線センサを含み、前記近接センサは、前記少なくともモータを停止させる信号をコントローラに送信するように作動可能であり、それによって、衝突を回避するために前記ワードローブの下降を中止させる、請求項１２に記載の装置。
【請求項１４】
携帯型遠隔制御デバイスと通信するブルートゥース（登録商標）（ＲＴＭ）又は同様の近距離無線周波数（ＲＦ）送受信器が、設けられている、請求項１〜１３のうちいずれか一項に記載の装置。
【請求項１５】
前記携帯型デバイスから受信した信号が、照明レベル又は若しくはオーディオデバイスの音量を制御し、又はスクリーンに表示されるべきチャンネルを選択するように、コントローラが前記ワードローブに設けられている、請求項１４に記載の装置。
【請求項１６】
充電設備が、前記屋根裏の電源と結合するコネクタを有する再充電可能なバッテリの形で設けられている、請求項１〜１５のうちいずれか一項に記載の装置。
【請求項１７】
加熱式タオルレールが、格納式の交流電源ケーブルによって給電される、請求項１〜１６のうちいずれか一項に記載の装置。
【請求項１８】
前記ワードローブ本体が前記屋根裏に格納されるときに、前記加熱式タオルへの電力を遮断する自動スイッチを含む、請求項１７に記載の装置。
【請求項１９】
低レベル照明が、前記ワードローブ本体の１つの面に位置している、請求項１〜１８のうちいずれか一項に記載の装置。
【請求項２０】
前記低レベル照明は、タッチセンシティブスイッチを有する、請求項１９に記載の装置。
【請求項２１】
前記照明は、発光ダイオード（ＬＥＤ）であり、前記ワードローブが下降／上昇されるときに、自動的に作動するデバイスが、前記照明をスイッチオンする、請求項２０に記載の装置。
【請求項２２】
オーディオスピーカを含む、請求項１〜２１のうちいずれか一項に記載の装置。
【請求項２３】
前記ワードローブの少なくとも１つの側部又は面に設けられたスクリーンを含む、請求項１〜２２のうちいずれか一項に記載の装置。
【請求項２４】
前記ワードローブが下降／上昇されるときに、ブリーパ又はブザー等のオーディオアラートが鳴る、請求項１〜２３のうちいずれか一項に記載の装置。
【請求項２５】
前記ワードローブが受け入れられる凹所を画定する前記開口は、合成ゴム材料から作られた可撓性の弾性変形可能なリップを有し、前記リップは、前記ワードローブが前記屋根裏の空間に格納されているときに、前記ワードローブの側部に接触し、前記ワードローブの基部の周りにシールを提供する、請求項１〜２４のうちいずれか一項に記載の装置。
【発明の詳細な説明】
【技術分野】
【０００１】
本発明は、ワードローブ装置、特に、省スペース型ワードローブ装置に関し；限定されないが、とりわけ、天井の空隙にワードローブを置くための装置に関する。
【背景技術】
【０００２】
空間に対する増え続ける重圧が、購買力の高まり及び個人所有物の増加、美的意識及び自身を最良に見せる全般的な欲求と組み合わさる。
【０００３】
結果として、多くの人が大量の衣料品、化粧品その他の物品をため込むことになる。これらの増え続ける個人所有物及び衣服を収納する空間は、特に都市環境では、殆どないことが多い。
【０００４】
しかし、多くの住居では、居住空間が限られている一方、屋根裏の空間は、十分に活用されてこなかった。
【０００５】
中国実用新案第２０４８１２７３８号（Ｃｈｅｎ）は、ボックス、ロッカー、円形軌道、及び回転部品を含む、垂直リフトキャビネットであって、円形軌道が、設定を対称的に固定し、ボックスの両側にあり、部品を対称的に回転させる、垂直リフトキャビネットを開示している。
【０００６】
中国実用新案第２０３７３５７４９号（Ｑｕｅ）は、収納機能を有する吊り上げ可能な遠隔制御式吊り天井を開示している。吊り天井は、ボックス本体を備える。開口が、ボックス本体の側壁に形成される。開口には、移動可能な２つ以上のカバー板が設けられる。複数の吊り鎖が、部屋の上部に掛けられることができ、ボックス本体に配置され、制御機構が、吊り天井の上昇及び下降を制御する。
【０００７】
仏国特許発明第２６０５５０６号（Ｇａｒｃｉａ等）は、天井に格納できる衣服クローゼットであって、並置された複数の個々の傾斜パネルを備える吊り収納デバイスが組み込まれる、衣服クローゼットを開示している。少なくとも１つのガイド支持体が、パネルの内面から離れて固定される。スライドが、ガイド支持体に沿って移動することができ、直角に曲がった固定金具に取り付けられ、一連のハンガーを受ける。
【０００８】
米国特許出願公開第２００８／２８９２６４号（Ｂｏｗｍａｎ）は、天井裏又は屋根裏の空間に格納されるクローゼットを開示している。
【０００９】
米国特許第５４７５９４９号（ＭｃＣｏｙ）は、ラック・ピニオン駆動機構によって部屋に下降される天井据付型ワードローブ装置を開示している。
【００１０】
欧州特許第２６４９９０３号（Ｊ＆Ｓ  Ｉｎｎｏｖａｔｉｖｅ  Ｐｒｏｄｕｃｔｓ）は、コンテナ又は衣服ハンガーを支持し、モータによって上昇及び下降される天井据付型収納具を開示している。
【００１１】
米国特許第８８７０１４５号（Ｃａｒｌｓｏｎ）は、天井支持体から吊り上げられ下降される衣服ハンガーを開示している。
【００１２】
独国特許第３８０３５７３号（Ｂｌｏｋｓｍａ）は、バッテリ駆動モータによって動作する衣服ハンガーを開示している。
【００１３】
仏国特許第２６３６２２２号（Ｈｅｙｂｅｒｇｅｒ）は、天井から吊り下げられ天井に接続される回転支持体を開示している。
【先行技術文献】
【特許文献】
【００１４】
【特許文献１】中国実用新案第２０４８１２７３８号明細書
【特許文献２】中国実用新案第２０３７３５７４９号明細書
【特許文献３】仏国特許発明第２６０５５０６号明細書
【特許文献４】米国特許出願公開第２００８／２８９２６４号明細書
【特許文献５】米国特許第５４７５９４９号明細書
【特許文献６】欧州特許第２６４９９０３号明細書
【特許文献７】米国特許第８８７０１４５号明細書
【特許文献８】独国特許第３８０３５７３号明細書
【特許文献９】仏国特許第２６３６２２２号明細書
【発明の概要】
【発明が解決しようとする課題】
【００１５】
本発明は、既存のデバイスによって生じる問題を克服するために作り出された。
【課題を解決するための手段】
【００１６】
本発明によれば、格納位置では、屋根裏の空間に位置する断熱された箱に受け入れられ、展開位置では、屋根裏の下方の部屋に下降される、ワードローブ装置であって、衣服レールを支持するワードローブ本体を備え；フレームが、屋根裏の桁又は梁に固定され、屋根裏への開口を画定しており；少なくとも１つのモータが、ワードローブを垂直方向に上昇及び下降させるように構成されており、衣服レールは、複数のハンガーを有し、ハンガーは、上昇位置と下降位置との間での動作中に、ハンガーが開口を通過できるように、レールに対してアクチュエータによって回転される、ワードローブ装置が提供される。
【００１７】
任意選択的に、１つ以上の引出が、ワードローブの上部領域、好ましくは下部領域にて、ワードローブ内に設けられる。理想的には、引出又は各引出は、衣料品、履物又は化粧品のうちより小さな物品を収容できるように、水平方向にスライド可能である。
【００１８】
フレームは、ワードローブが天井の下方に移動するときに、回転ハンガー機構が作動するように、天井又は屋根の空隙に設置される。フレームは、硬質の鋼製フレームである天井固定手段も備える。天井固定手段は、概ね天井裏又は屋根裏の桁又は垂木にわたってフレーム及び装置の重量を分散させる。
【００１９】
モータは、天井の空隙又は天井裏に支持された硬質の鋼製フレームに接続されることが好ましい。フレームは、モータを安定的かつ好適に支持するように桁又は垂木に接続される。モータは、交流電源、又は再充電可能であることが好ましい１つ以上のバッテリのいずれかによって給電される。バッテリは、再充電可能である場合に、ワードローブに装備されることによって、ワードローブと共に移動可能であり得る。そのような事例では、ワードローブが屋根裏の空間に戻されたときに、バッテリが再充電可能になるように、コネクタが、天井の好適な接続部に接触するように配置される。
【００２０】
理想的には、モータには、ケーブル又はコードが弛むとすぐにモータを停止させる張力検知手段が装備される。モータは、弛みが検知された時か又はその直後に、ワードローブが床又は他の面から僅かな距離をおいて上方に吊り下げられるように、巻き取るように構成されることが好ましい。これにより、全てのケーブルが緊張したままであり、ワードローブが垂直状態又は「正確に調整された」状態に確実に維持される。
【００２１】
フレームは、ワードローブが動作機構によって内部に移動される穴を画定する。筐体は、天井の上方にあるときに、本体、レール及び任意の関連する衣料品又は物品を埃又は損傷から保護する。
【００２２】
このようにして、筐体及び／又はレールは、部屋の床空間を占有しない代わりに、そうでなければ余剰となる屋根裏又は天井裏の空隙空間を利用する、吊り下げソリューションをもたらす。
【００２３】
ワードローブ本体及びフレームは、衣服レールを包囲して支持し、最小限の設置面積を維持するように、細長い矩形の設置面積を有することが好ましい。このようにして、ワードローブ本体は、相対的に長い２つの側部及び相対的に短い２つの端部を備える。この形状は、慣習的に離間した垂木間に受け入れられ、長さは、屋根裏の空間に存在し得るいかなる配管、空気管又は配線にも干渉しないように選択される。
【００２４】
ワードローブ本体は、展開位置にあるときに前面又は背面のいずれかからレールにアクセスできるように、実質的に開放され得る。
【００２５】
理想的には、箱又は筐体は、５つの面、すなわち、２つの側部、２つの端部及び上部で閉鎖される。箱又は筐体の下部は、ワードローブ本体を受け入れるための開口を画定する。
【００２６】
意図しない本体の垂直動作を防止又は制限するように、屋根裏に格納されたときにワードローブ本体をロックするロック手段があることが好ましい。ロック手段は、垂木及び／又はフレームに係合するように構成され得る。
【００２７】
任意選択的な荷重分散棒材が、装置の重量を分散させるとともにロック手段に係合するように配置され得る。理想的には、自動センサが、ワードローブ本体を異なる位置に係合させるように、２つ、３つ又は好ましくは４つの位置にあるボルトであることが好ましいロック手段を展開させるように設けられる。このことの利点は、ワードローブの重量が異なる位置に分散され、各ロック手段が個々に作動するので、１つのロック手段が展開し損ねた場合のフェールセーフ機構が設けられる点にある。
【００２８】
ワードローブ本体は、例えば、少なくとも１つの引出又は少なくとも１つの扉を備える、更なる物品収納オプションを備え得る。
【００２９】
理想的には、フレームは、装置の荷重を天井にわたって分散させるように配置された鋼製又はアルミニウム製の形鋼から形成される。例えば、フレームは、天井の空隙の垂木にわたるように配置された水平支持部分を備え得る。
【００３０】
いくつかの実施形態では、衣服レールは、恒久的に又は使用中に、複数のハンガーを備える。そのようなハンガーは、レールから横に延在し得、レールに沿って長手方向に離間する。ハンガーは、例えば、位置間での本体の動作中の、レールからの偶発的な移動を制限するように、恒久的に又は半恒久的にレールに固定され得る。
【００３１】
ハンガーが同時に回転するように、ハンガーの回転が、全て一緒に回転することが確保される。例えば、いくつかの実施形態では、回転は、装置の位置にリンクされ得；レールが下降されたときに、ハンガーは、実質的にレールと直交し、レールが上昇されるときに、ハンガーは、占有する幅方向の空間を最小化するように回転される。
【００３２】
このようにして、ハンガーは、ハンガーが掛けられる衣服レールと実質的に直交する、それらの展開位置から、収容又は上昇位置でハンガーが衣服レールの軸線に対して９０°未満になる位置に回転され得、それによって、装置の「設置面積」が抑えられるため、ワードローブ本体が屋根裏へと開口を通過することができる。
【００３３】
いくつかの実施形態では、機構は、手動で操作され得、このことは、停電又は電源故障の場合に有用であり得、それによって、ユーザが手動でワードローブを下降及び上昇させることができる。
【００３４】
しかし、少なくとも１つの駆動モータは、例えば、専用の携帯型デバイス、又は小型電話若しくは携帯電話などのモバイルデバイスによる無線接続によって、遠隔制御されることが好ましい。同様に、レールの回転が、同様に給電され制御され得る。好ましくではあるが、ハンガーの回転は、アクチュエータの操作のための専用のコントローラの管理の下で自動的に行われる。
【００３５】
特に好適な実施形態では、ワードローブが下降されるときに物品又は人とどれほど近づいているかを検知するために、１つ以上の近接センサが設けられる。近接センサ又は各近接センサは、超音波又は赤外光線を用いて作動し得る。近接センサ又は各近接センサは、いかなる物的損傷又は負傷も回避するように、物体、家具物品、人又はペットとの衝突の可能性がある場合に、ワードローブの下降を中止するための信号を駆動モータ（又はそのコントローラ）に送信するように構成される。
【００３６】
低レベル照明が、ワードローブ本体の一面に位置することが好ましい。理想的には、低レベル照明は、バッテリで駆動され、タッチ時に照明を明るく又は暗くするタッチセンシティブパネルを有し得る。照明は、自動的に作動し得るか又は手動でスイッチオン／オフされ得る発光ダイオード（ＬＥＤ）を含み得る。理想的には、暗い部屋又は照明レベルが低い場所でワードローブが下降されるときには、ワードローブの展開がはっきりと見えるように自動デバイスが照明をスイッチオンする。照明は、例えば、寝室にあり得る、既存のダウンライトと釣り合うようにサイズ及び寸法決定され得る。
【００３７】
任意選択的に、ワードローブ本体のパネルに組み込まれたフラットスピーカが設けられ得る。別の実施形態では、ワードローブの一側部又は一面が、低域周波数を増幅させるためにワードローブ本体の木製又は繊維板製のパネルに依存するラウドスピーカを有する娯楽施設になるように、ディスプレイ又は他の種類のスクリーンが設けられる。
【００３８】
いくつかの実施形態では、携帯型遠隔制御デバイスとの通信を容易にするとともに、搭載デバイス又はワードローブ本体に関連付けられた特定の機能をユーザが選択することを可能にする、近距離無線通信デバイス（例えば、ブルートゥース（登録商標）（ＲＴＭ）デバイス又は同様の無線（ＲＦ）送受信器）が、設けられる。
【００３９】
例えば、好適な実施形態では、コントローラが、ワードローブ本体上又は内に設けられ、それによって、携帯型デバイスから受信した信号が、ワードローブ本体に装備された照明デバイスによる照明の輝度若しくは色；又はワードローブ本体に装備されたオーディオデバイスの音量を制御し得るか；あるいはワードローブ本体に装備されたスクリーンに表示されるテレビのチャンネルを選択し得るようになる。
【００４０】
理想的には、デバイス又は各デバイスに給電するための電力が、１つ以上の再充電可能なバッテリによって供給される。充電手段が、バッテリを充電し、ワードローブが格納され、屋根裏の収容位置にロックされるときに、電源と結合するコネクタを有する充電デバイスの形で設けられている。
【００４１】
別の実施形態では、格納式の交流電源ケーブルを用いて加熱され得るタオルレールが、設けられ得る。好適な安全遮断スイッチが、ワードローブが屋根裏に格納されたときに、タオルレールのヒーターが自動的にスイッチオフされることを確実にする。
【００４２】
また更なる実施形態では、ワードローブが下降／上昇されるときに、ブリーパ又はブザーなどのオーディオアラートが、近くに立っているかもしれない人に警告するように自動的に起動して鳴り得る。
【００４３】
ワードローブが受け入れられる凹所を画定する開口は、合成ゴム又は可撓性プラスチック材料から作られた可撓性の弾性変形可能なリップを有し、リップは、ワードローブが屋根裏の空間に格納されたときに、ワードローブのベースパネルの側部に接触し、ワードローブの基部の周りにシールを提供する。理想的には、断熱層が、寒い屋根裏を下方の暖かい部屋から断熱するために、シールの後方に位置する。
【００４４】
別の実施形態では、サイドフラップ又はパネルが、ワードローブが展開されたときに露わになる開口を覆って閉鎖し、それによって、穴を閉鎖し、一時的な仮の天井として機能するように構成され得る。代わりに、ワードローブ本体の基部は、天井と合うように色付け若しくはテクスチャ化されるか、又は鏡若しくはイメージを有し得る。
【００４５】
箱を断熱するのに十分な空間がない場合、断熱ソケット又はカバーが、ワードローブ本体を受け入れるボックス状構造の周りに配置される。
【００４６】
別の実施形態では、ワードローブは、屋根裏の空間の断熱された筐体又は箱に受け入れられ、それによって、寝室の温かい空気が、屋根裏の空隙全体に上昇せずに、屋根裏の比較的小さな容積部に閉じ込められたままになることを確実にし得る。この断熱された箱により、部屋の温かい空気が全て、屋根裏から降りて来る冷たい空気と入れ替わらないことが確保される。箱の別の利点は、それが、衣服に付く衣服の結露を防止する点にある。
【００４７】
荷重が大きい場合、１つ以上の重量分配棒材が、１つ以上の桁に沿って又は複数の桁に横方向にわたってワードローブの重量を分散させるために設けられ得る。重量分配棒材は、鋼製、好ましくはステンレス鋼製の棒材又はＬ字状形鋼から形成され得る。
【００４８】
本発明の好適な実施形態について、図を参照して例としてのみ説明する。
【図面の簡単な説明】
【００４９】
【図１】第１の位置にある、本発明による装置の一実施形態の等角図を示す。
【図２】第２の位置にある、図１に示した一実施形態の逆等角図を示す。
【図３】図２に示した実施形態の等角図を示す。
【図４】図１に示した実施形態の逆等角図を示す。
【図５】図１に示した実施形態の端面図を示す。
【図６】図１に示した実施形態の側面図を示す。
【図７ａ】図１に示した実施形態の内部部品の等角図を示す。
【図７ｂ】図１に示した実施形態の内部部品の等角図を示す。
【図８ａ】図１に示した実施形態のハンガー部品の等角図を示す。
【図８ｂ】図１に示した実施形態のハンガー部品の等角図を示す。
【図９】図１に示した実施形態のレール部品の逆等角図を示す。
【図１０】図９に示したレール部品の等角図を示す。
【図１１】図に示した実施形態の分解等角図を示す。
【図１２】本発明による装置の更なる実施形態のスケッチ図を示す。
【図１３】本発明による装置の更なる実施形態のスケッチ図を示す。
【図１４】本発明による装置の更なる実施形態のスケッチ図を示す。
【発明を実施するための形態】
【００５０】
図を参照すると、衣服レール２を支持するワードローブ本体３と、フレーム１と、作動手段とを備える装置の一実施形態が示されている。作動手段は、フレーム１から遠い第１の位置から、フレーム１に近い第２の位置へ垂直方向にレール２を移動させるように構成される。
【００５１】
フレーム１は、筐体１０、１１、１２を支持し、それらを備え、筐体は、上向きに延在する２つの長い側部１２を備え、２つの長い側部１２は２つの端部１１及び上部１０によって結合されて平面では矩形となる。
【００５２】
レール２は、本体３に支持されており、本体は、第２の位置にて、使用中に装置を隠すために使用され得る板２４によって覆われ得、板は、例えば、天井の漆喰塗りに重なり、漆喰塗りと調和する塗装可能な面を備える。
【００５３】
筐体は、屋根裏又は天井裏の空間に挿入され、垂木間に装備されるように構成される。レールは、２つの側部２３及び上部２１を備えるワードローブ本体３に設けられ、それによって支持される。
【００５４】
筐体は、アルミニウム製又は軟鋼製のシートを備える。構造は、筋交付きの骨格パネル１５によって形成される。移動可能な扉口１３により、モータ３５又はウインチ機構へのアクセスが可能になる。
【００５５】
４つの垂木支持部分１６が、筐体の最下部のコーナーから延在し、天井１００又は垂木１０５に係合し、ねじ留め金具を有するか又は鋼製の筋交によって固定される（不図示）。
【００５６】
筐体の側部１２は、ばね付きロックタブ１４を更に備え、タブ１４は、レール２が第２の（上昇又は収容）位置にあるときに、本体３に係合するように側部１２から内側に延在する。
【００５７】
作動手段は、ウインチ３５及び可撓性の支持部材３０を備える。支持部材は、ステンレス鋼製の４本の複数編みケーブル３０である。フレーム３１は、筐体の上部１０に長手方向の中央ロッド３２を備える。フレーム３１は、一方の端部に、ロッド３２を回転させるウインチモータ３５を有する。ロッド３２の両方の端部に、フレーム３１は、２つの滑車３４及び直交する拡張アーム３３を備える。滑車アームの中央部は、ケーブル接触スリーブ３６を備える。
【００５８】
ケーブル接触スリーブ３６は、ケーブルが容易に巻き付けられるのに十分な摩擦を有する弾性変形可能な面を提供する。代わりに、２つ、３つ又は４つの別個のモータを使用し得る。
【００５９】
ケーブル部材３０は、フレーム３１及び筐体のコーナーに配置される。ケーブル部材３０は、フレーム３１の両方の端部に２つのケーブル長尺部を備える。２つのケーブル長尺部は、スリーブ３６に接触しており、必要に応じて、部材３０を短くすることによって本体を第２の高い位置に移動させるか、又は本体を解放して重力によって第１の位置に下降させるために、ロッド３２がモータ３５によって回転されるときに、スリーブ３６に巻き付くように構成される。
【００６０】
レールは、最上部の矩形周縁ベース２１から延在するとともにハンガー２０のための間隔をおいて配置されたカラー２３の列を支持する最下部の平坦な先端溝３７を有する、細長い三角形状カバー部分２６を備える。
【００６１】
ハンガー２０は、レールに半恒久的に固定される。ハンガーは、レール固定手段を備える最上部コーナーを有する三角形状ワイヤの形であり、レール固定手段は、カラー２３及びワイヤハンガーを備え、ワイヤハンガーは、カラー２３の下方に延在する回転可能な突起内のＴ字状溝２７に使用中に嵌る、Ｔ字状上部コーナー２８を有する。このようにして、ハンガーは、必要に応じて、突起２７から取り外すために容易に回転され得る。
【００６２】
垂木間の狭い距離により、ハンガーは、レールが上昇及び下降されるときに、６０°回転するように構成される。小型モータ６２（図１０）が、カラー歯を回転させるとともに、この動作を容易にする、歯付ベルト３７に繋がれる。
【００６３】
本体は、収納コンパートメント２５と、本体の下端に収納オプションを提供する引出２２と、を更に備える。
【００６４】
本発明は、例としてのみ説明された。上述の実施形態には、請求項によって定義される発明の範囲から逸脱しない変形を施し得ることが理解されるであろう。例えば、ワードローブ本体の内部又は外部に、鏡付き面又は光沢面を含む様々な種類の仕切板を設け得る。加えて、ワードローブ本体に組み込まれるデバイスとしては、それぞれに無線制御もされ得る、金庫及び／又は送風機が含まれる。
【図１】
2020516789.tif 000003
【図２】
2020516789.tif 000004
【図３】
2020516789.tif 000005
【図４】
2020516789.tif 000006
【図５】
2020516789.tif 000007
【図６】
2020516789.tif 000008
【図７ａ】
2020516789.tif 000009
【図７ｂ】
2020516789.tif 000010
【図８ａ】
2020516789.tif 000011
【図８ｂ】
2020516789.tif 000012
【図９】
2020516789.tif 000013
【図１０】
2020516789.tif 000014
【図１１】
2020516789.tif 000015
【図１２ａ】
2020516789.tif 000016
【図１２ｂ】
2020516789.tif 000017
【図１３ａ】
2020516789.tif 000018
【図１３ｂ】
2020516789.tif 000019
【図１４ａ】
2020516789.tif 000020
【図１４ｂ】
2020516789.tif 000021
【国際調査報告】
2020516789.tif 000022
2020516789.tif 000023